【事件の表示】
　特許第２７７６７２４号「ユニット建物における浴室出入口部」の特許に対する特許異議の申立てについて、次のとおり決定する。
【結　論】
　訂正を認める。
　特許第２７７６７２４号の特許を維持する。
【理　由】
〔１〕 手続きの経緯
　本件特許第２７７６７２４号発明は、平成５年５月２７日に特許出願され、平成１０年５月１日に特許権の設定の登録がなされた後、岡田芳子より特許異議の申立てがなされ、次いで取消理由通知がなされ、その指定期間内に平成１１年１２月１４日付けで訂正請求がなされたものである。
　
〔２〕訂正請求について
１．訂正請求の趣旨及び訂正の内容
　訂正請求の趣旨は、特許第２７７６７２４号の明細書を訂正請求書に添付した訂正明細書のとおり訂正することを求めるものである。
　そして、その訂正の内容は、以下のとおりである。
　訂正事項ａ
　特許請求の範囲を、
「【請求項１】 四隅の柱と柱の上下端を連結する梁からなるユニット躯体の複数個が接続されて形成されたユニット建物において、隣接されるユニット躯体の一方に浴室がユニット躯体の他方に脱衣室が設けられる浴室出入口部であって、浴室出入口部が上記隣接部のユニット躯体の梁の上から外れた位置に設けられており、浴室出入口部と浴室出入口部内の浴室洗い場上面と浴室出入口部外の脱衣室床面とがほぼ同一平面上に設けられていることを特徴とするユニット建物における浴室出入口部。」に訂正する。
　訂正事項ｂ
　明細書の段落【０００４】の「ユニット建物内に浴室を設ける」を、「ユニット建物において、隣接されるユニット躯体の一方に浴室をユニット躯体の他方に脱衣室を設ける」に訂正する。
　訂正事項ｃ
　明細書の段落【０００４】の「梁の上」を、「上記ユニット躯体の梁の上」に訂正する。
　訂正事項ｄ
　明細書の段落【０００７】の「ユニット建物における浴室出入口部において、浴室出入口部が梁の上から外れた」を、「ユニット建物において、隣接されるユニット躯体の一方に浴室がユニット躯体の他方に脱衣室が設けられる浴室出入口部であって、浴室出入口部が上記隣接部のユニット躯体の梁の上から外れた」に訂正する。
　訂正事項ｅ
　明細書の段落【００１６】の「梁の上」を、「隣接するユニット躯体の梁の上」に訂正する。
　
２．訂正の適否
（１）訂正の目的の適否、新規事項の有無、及び拡張・変更の存否について
　ア．訂正事項ａについて
　この訂正は、特許請求の範囲の請求項１における「ユニット建物における浴室出入口部において、浴室出入口部が梁の上から外れた」を、「隣接されるユニット躯体の一方に浴室がユニット躯体の他方に脱衣室が設けられる浴室出入口部であって、浴室出入口部が上記隣接部のユニット躯体の梁の上から外れた」とし、浴室、脱衣室及び浴室出入口部とユニット躯体との関係を限定するものであり、特許請求の範囲の減縮を目的とするものである。
　そして、この訂正は、明細書の段落【００１２】及び第１図の記載に基づくものであって、願書に添付した明細書又は図面に記載した事項の範囲内のものであり、しかも実質上特許請求の範囲を拡張し又は変更するものではない。
　イ．訂正事項ｂ〜ｅについて
　これらの訂正は、特許請求の範囲の訂正に伴い、特許請求の範囲の記載と発明の詳細な説明の記載との整合を図るために行う訂正であり、明りょうでない記載の釈明を目的とするものである。
　そして、これらの訂正は、願書に添付した明細書又は図面に記載した事項の範囲内のものであり、しかも実質上特許請求の範囲を拡張し又は変更するものではない。
　
（２）独立特許要件について　
　ア．訂正明細書の請求項１に係る発明
　訂正明細書の請求項１に係る発明は、訂正明細書の特許請求の範囲の請求項１に記載されたとおりのものである。（〔２〕１．訂正事項ａ参照。）
　イ．刊行物の記載事項
　当審で通知した取消理由において周知例として引用した刊行物１（特開昭６３−１９７７６７号公報、異議申立人が提出した甲第１号証）及び刊行物２（「新建築　４月臨時増刊」、昭和５９年４月５日、株式会社新建築社、４４〜４７頁、７６〜８２頁、１４８〜１５０頁、同甲第２号証）には、四隅の柱と柱の上下端を連結する梁からなるユニット躯体の複数個が接続されて形成されたユニット建物において、一つのユニット躯体に浴室と化粧室又は洗面室を設け、浴室出入口部を梁の上から外れた位置に設ける構造とすること、が記載されている。
　同じく取消理由において引用した刊行物３（実公平３−２０４４３号公報、同甲第３号証）には、浴室出入口部と、浴室出入口部内の浴室洗い場上面と、浴室出入口部外の脱衣室床面とをほぼ同一平面上に設け、老人等の浴室への出入りを容易にすること、が記載されている。また、異議申立人が提出した甲第４号証（実願昭５９−８３５７４号（実開昭６０−１９５４８６号）のマイクロフィルム、以下、「刊行物４」という。）にも、浴室出入口部と、浴室出入口部内の浴室洗い場上面と、浴室出入口部外の脱衣室床面とをほぼ同一平面上に設け、身体障害者の浴室への出入りを容易にすること、が記載されている。
　ウ．対比、判断
　訂正明細書の請求項１に係る発明と刊行物１及び２に記載されたものとを対比すると、刊行物１及び２に記載されたものは、浴室出入口部がユニット躯体の梁の上から外れた位置に設けられてはいるが、浴室と化粧室又は洗面室（訂正明細書の請求項１に係る発明の「脱衣室」に相当する。）が同じユニットに設けられており、訂正明細書の請求項１に係る発明のように、浴室と脱衣室が隣接する別のユニット躯体に設けられるものではなく、訂正明細書の請求項１に係る発明の「隣接されるユニット躯体の一方に浴室がユニット躯体の他方に脱衣室が設けられる浴室出入口部であって、浴室出入口部が上記隣接部のユニット躯体の梁の上から外れた位置に設けられており」の構成を備えていないし、示唆するものでもない。
　そして、訂正明細書の請求項１に係る発明は、この構成を備えることにより、「浴室関連空間を広く自由にとることができ、浴室出入口部は梁を避けるために上方に突出して設ける必要がなく、浴室出入口部及びその内外の床面をほぼ同一平面上に設けることができ、ユニット建物であっても、浴室出入口部に段差がなくて、高齢者等が蹴躓くことなく、容易に浴室出入口部を出入りできる」（平成１１年１２月１４日付けの特許異議意見書５頁２〜６行）という特有の効果を奏するものと認められる。
　したがって、刊行物３及び４に、浴室出入り口部と、浴室出入り口部内の浴室洗い場上面と、浴室出入り口部外の脱衣室床面とをほぼ同一平面上に設けることが記載されているとしても、刊行物１及び２に上記訂正明細書の請求項１に係る発明の構成が示されていない以上、訂正明細書の請求項１に係る発明は、刊行物１〜４に記載されたものに基いて、当業者が容易に発明をすることができたものとすることはできない。
　よって、訂正明細書の請求項１に係る発明は、特許出願の際独立して特許を受けることができるものである。
（３）まとめ
　以上のとおりであるから、訂正事項ａ〜ｅの訂正は、特許法等の一部を改正する法律（平成６年法律１１６号）附則６条１項の規定によりなお従前の例によるとされる、特許法１２０条の４第２項ただし書１号又は３号に掲げる事項を目的とし、同条３項で準用する１２６条２〜４項の規定に適合するので、本件訂正請求を認める。
　
〔３〕 特許異議の申立てについて
１．特許異議の申立ての理由の概要
　異議申立人は、甲第１〜第４号証を提出して、請求項１に係る発明は、甲第１及び第２号証に記載された発明に甲第３及び第４号証に記載された発明を適用することにより、当業者が容易に発明をすることができたものであるから、特許法２９条２項の規定により特許を受けることができないものであり、請求項１に係る発明の特許は取り消されるべきである旨主張している。
　
２．本件請求項１に係る発明
　本件請求項１に係る発明は、訂正明細書の特許請求の範囲の請求項１に記載されたとおりのものと認める。（〔２〕１．訂正事項ａ参照。）
　
３．特許異議の申立ての理由についての判断
　上記〔２〕２．（２）で述べたように、本件請求項１に係る発明は、刊行物１（甲第１号証）、刊行物２（甲第２号証）、刊行物３（甲第３号証）及び刊行物４（甲第４号証）に記載された発明に基いて当業者が容易に発明をすることができたものとすることはできない。
　
４．むすび
　以上のとおりであるから、異議申立人の主張する理由及び提出した証拠方法によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年３月２日（２０００．３．２）
【訂正の要旨】
〔訂正の要旨〕
　特許第２７７６７２４号の明細書を、特許請求の範囲の減縮を目的として下記ａのとおり、明りょうでない記載の釈明を目的として下記ｂ〜ｅのとおり訂正する。
　ａ．特許請求の範囲を、
「【請求項１】四隅の柱と柱の上下端を連結する梁からなるユニット躯体の複数個が接続されて形成されたユニット建物において、隣接されるユニット躯体の一方に浴室がユニット躯体の他方に脱衣室が設けられる浴室出入口部であって、浴室出入口部が上記隣接部のユニット躯体の梁の上から外れた位置に設けられており、浴室出入口部と浴室出入口部内の浴室洗い場上面と浴室出入口部外の脱衣室床面とがほぼ同一平面上に設けられていることを特徴とするユニット建物における浴室出入口部。」に訂正する。
　ｂ．明細書の段落【０００４】の「ユニット建物内に浴室を設ける」を、「ユニット建物において、隣接されるユニット躯体の一方に浴室をユニット躯体の他方に脱衣室を設ける」に訂正する。
　ｃ．明細書の段落【０００４】の「梁の上」を、「上記ユニット躯体の梁の上」に訂正する。
　ｄ．明細書の段落【０００７】の「ユニット建物における浴室出入口部において、浴室出入口部が梁の上から外れた」を、「ユニット建物において、隣接されるユニット躯体の一方に浴室がユニット躯体の他方に脱衣室が設けられる浴室出入口部であって、浴室出入口部が上記隣接部のユニット躯体の梁の上から外れた」に訂正する。
　ｅ．明細書の段落【００１６】の「梁の上」を、「隣接するユニット躯体の梁の上」に訂正する。
（５４）【発明の名称】
ユニット建物における浴室出入口部
（５７）【特許請求の範囲】
　　【請求項１】　四隅の柱と柱の上下端を連結する梁からなるユニット躯体の複数個が接続されて形成されたユニット建物に
おいて、隣接されるユニット躯体の一方に浴室がユニット躯体の他方に脱衣室が設けられる浴室出入口部であって、浴室出入口部が上記隣接部のユニット躯体の
【発明の詳細な説明】
　　　【０００１】
　　【産業上の利用分野】
　本発明は、ユニット建物における浴室出入口部に関し、特に、浴室出入口部における段差をなくして高齢者等が浴室への出入りが容易となるように配慮したものである。
　　　【０００２】
　　【従来の技術】
　従来、例えば、実公平３−２０４４３号公報等に記載されているように、浴室出入口部と浴室出入口部内の浴室洗い場上面と浴室出入口部外の脱衣室床面とがほぼ同一平面上に設けられている浴室出入口部は高齢者等が浴室への出入りが容易となるので、高齢者等が住む建物においては、頻繁に採用されている。
　　　【０００３】
　一方、ユニット建物として、例えば、特公昭６１−３９４３号公報記載のように、四隅の柱と柱の上下端を連結する梁からなるユニット躯体の複数個が接続されて形成されたユニット建物が知られている。
　　　【０００４】
　このような四隅の柱と柱の上下端を連結する梁からなるユニット躯体の複数個が接続されて形成された
ユニット建物において、隣接されるユニット躯体の一方に浴室をユニット躯体の他方に脱衣室を設ける
上記ユニット躯体の梁の上
　　　【０００５】
　　【発明が解決しようとする課題】
　しかしながら、従来のように、浴室出入口部が梁の上に設けられると、浴室出入口部の敷居部は梁を避けるために上方に突出して設けられることとなり、浴室出入口部の敷居部は浴室内の洗い場の上面と浴室外の脱衣室床面よりは上方に突出してそこに段部が生じ、高齢者等の入浴には好ましくないという問題があった。
　　　【０００６】
　本発明は、従来のユニット建物における浴室出入口部の、このような問題点に鑑みてなされたものであり、その目的とするところは、上記の問題を解決し、ユニット建物内においても段差の生じない浴室出入口部を提供するにある。
　　　【０００７】
　　【課題を解決するための手段】
　上記目的を達成するために、本発明ユニット建物における浴室出入口部は、四隅の柱と柱の上下端を連結する梁からなるユニット躯体の複数個が接続されて形成された
ユニット建物において、隣接されるユニット躯体の一方に浴室がユニット躯体の他方に脱衣室が設けられる浴室出入口部であって、浴室出入口部が上記隣接部のユニット躯体の梁の上から外れた
　　　【０００８】
　本発明において、ユニット躯体の四隅の柱と柱の上下端を連結する梁は木材製でもよく溝型鋼、アングル鋼等の鋼製でもよい。
　　　【０００９】
　　【作用】
　本発明ユニット建物における浴室出入口部においては、浴室出入口部が梁の上から外れた位置に設けられているので、浴室出入口部は梁を避けるために上方に突出して設ける必要がなく、浴室出入口部及び、その内外の床面をほぼ同一平面上に設けることができる。
　　　【００１０】
　又、本発明においては、浴室出入口部と浴室出入口部内の浴室洗い場上面と浴室出入口部外の脱衣室床面とがほぼ同一平面上に設けられているので、高齢者等が浴室出入口部に蹴躓くことなく、容易に浴室出入口部を出入りできる。
　　　【００１１】
　　【実施例】
　以下、本発明の実施例を添付図面を参照して説明する。
〔実施例１〕
　図１は本発明ユニット建物における浴室出入口部の一例を示す断面図である。
　　　【００１２】
　図１において、１は一方のユニット躯体２に設けられた浴室、３はユニット躯体２とこのユニット躯体２に隣接される他方のユニット躯体４にかけて設けられた脱衣室である。
　浴室１の出入口１１は一方のユニット躯体２の溝型鋼製梁２１と他方のユニット躯体４の溝型鋼製梁４１の上方からは外れて一方のユニット躯体２内に設けられている。
　　　【００１３】
　浴室１内において、１２はＦＲＰ製浴槽、１３はＦＲＰ製洗い場、１４は壁に設けられたシャワー装置、１５は鏡である。
　脱衣室３内において、３１は床、３２は壁に設けられた棚である。
　　　【００１４】
　浴室出入口１１の下方に敷居１６が設けられ、敷居１６には引き戸１１１が設けられている。
　浴室床１の洗い場１３と敷居１６と脱衣室床３１の上面はほぼ同一平面上に設けられ、浴室１の出入口１１には高齢者等が蹴躓くような段差は生じていない。尚、５は浴室１及び脱衣室３内に設けられた蛍光灯である。
　　　【００１５】
　以上、本発明の実施例を図により説明したが、本発明の具体的な構成は、この実施例に限定されるものではなく、本発明の要旨を逸脱しない範囲の設計変更等があっても本発明に含まれる。例えば、図示の実施例においては、浴室出入口は浴室が設けられた一方のユニット躯体２に設けられいるが、脱衣室３が設けられた他方のユニット躯体４内に設けられていてもよい。
　　　【００１６】
　　【発明の効果】
　本発明ユニット建物における浴室出入口部においては、浴室出入口部が
隣接するユニット躯体の梁の上
　　　【００１７】
　又、本発明においては、浴室出入口部と浴室出入口部内の浴室洗い場上面と浴室出入口部外の脱衣室床面とがほぼ同一平面上に設けられているので、高齢者等が浴室出入口部に蹴躓くことなく、容易に浴室出入口部を出入りできる。
【図面の簡単な説明】
　　【図１】
　本発明ユニット建物における浴室出入口部の一例を示す断面図。
　　【符号の説明】
１　　　　　　　浴室
１１　　　　　　浴室出入口
１１１　　　　　引き戸
１２　　　　　　浴槽
１３　　　　　　洗い場
１４　　　　　　シャワー装置
１５　　　　　　鏡
１６　　　　　　敷居
２　　　　　　　一方のユニット躯体
２１　　　　　　梁
３　　　　　　　脱衣室
３１　　　　　　脱衣室床
３２　　　　　　棚
４　　　　　　　他方のユニット躯体
４１　　　　　　梁
５　　　　　　　蛍光灯